(57)【特許請求の範囲】
【請求項１】
弾球遊技機の遊技盤に装備されて遊技球を受け入れる入賞装置であって、
長方形の開口（５２）が設けられた基板（５４）と、
該基板（５４）の背面側に突出して横設されて前記開口（５２）を上部分と下部分とに区分し、前記上部分を前記遊技盤の前面側から遊技球を受け入れる受入口（５８）となし、前縁で前記受入口（５８）の下限を規定する誘導板（５６）と、
断面形状が前記受入口（５８）側で凸になる三角形状の三角部材（６４）が設けられ、前記開口（５２）の下辺に沿って横設された揺動軸（６０）を中心として閉鎖位置と開放位置との間で揺動変位し、前記閉鎖位置では前記受入口（５８）から前記誘導板（５６）の上方に前記三角部材（６４）を進入させて前記受入口（５８）を封鎖し、前記開放位置では前記三角部材（６４）を前記遊技盤の前面側に突出させて前記遊技盤面に沿って落下してくる遊技球の落下を前記三角部材（６４）で遮って前記受入口（５８）に送り込む開閉部材（６２）と、
前記三角部材（６４）と前記揺動軸（６０）との間で前記開閉部材（６２）に埋設された永久磁石（６８）と、
前記誘導板（５６）の下に配されて前記誘導板（５６）によって保持される電磁石（７０）とを備え、
前記電磁石（７０）に通電していないときには、前記電磁石（７０）の鉄心（７２）と前記永久磁石（６８）とが互いに引き合うことにより、前記開閉部材（６２）が前記閉鎖位置とされ、
電磁石（７０）に通電して励磁させると、前記電磁石（７０）と前記永久磁石（６８）の対面する極同士が同極となって前記電磁石（７０）と前記永久磁石（６８）とが互いに反発し合うことで、前記開閉部材（６２）が前記開放位置にされる
ことを特徴とする可変入賞装置。
【発明の詳細な説明】
【０００１】
【発明の属する技術分野】
本発明は、弾球遊技機の遊技盤に装備されて遊技球を受け入れ易い状態と受け入れ難い状態とに変化する可変入賞装置に関する。
【０００２】
【従来の技術】
弾球遊技機の遊技盤に装備される可変入賞装置には、一枚の開閉板を起立させたときには受入口（入賞口）が封鎖され、開閉板を前面側に突出させるように倒したときには遊技盤面に沿って落下してくる遊技球を開閉板によって受入口に導き入れる構造のアタッカーと呼ばれる可変入賞装置がある。
【０００３】
【発明が解決しようとする課題】
従来のアタッカーでは受入口の開口寸法と開閉板の外形寸法とが対応しているのが普通であった。
【０００４】
本発明は、アタッカーにおいて受入口の開口寸法を開閉板の外形寸法より小さくすることを目的としている。
【０００５】
【課題を解決するための手段】
上記課題を解決するための請求項１記載の可変入賞装置は、
弾球遊技機の遊技盤に装備されて遊技球を受け入れる入賞装置であって、
長方形の開口（５２）が設けられた基板（５４）と、
該基板（５４）の背面側に突出して横設されて前記開口（５２）を上部分と下部分とに区分し、前記上部分を前記遊技盤の前面側から遊技球を受け入れる受入口（５８）となし、前縁で前記受入口（５８）の下限を規定する誘導板（５６）と、
断面形状が前記受入口（５８）側で凸になる三角形状の三角部材（６４）が設けられ、前記開口（５２）の下辺に沿って横設された揺動軸（６０）を中心として閉鎖位置と開放位置との間で揺動変位し、前記閉鎖位置では前記受入口（５８）から前記誘導板（５６）の上方に前記三角部材（６４）を進入させて前記受入口（５８）を封鎖し、前記開放位置では前記三角部材（６４）を前記遊技盤の前面側に突出させて前記遊技盤面に沿って落下してくる遊技球の落下を前記三角部材（６４）で遮って前記受入口（５８）に送り込む開閉部材（６２）と、
前記三角部材（６４）と前記揺動軸（６０）との間で前記開閉部材（６２）に埋設された永久磁石（６８）と、
前記誘導板（５６）の下に配されて前記誘導板（５６）によって保持される電磁石（７０）とを備え、
前記電磁石（７０）に通電していないときには、前記電磁石（７０）の鉄心（７２）と前記永久磁石（６８）とが互いに引き合うことにより、前記開閉部材（６２）が前記閉鎖位置とされ、
電磁石（７０）に通電して励磁させると、前記電磁石（７０）と前記永久磁石（６８）の対面する極同士が同極となって前記電磁石（７０）と前記永久磁石（６８）とが互いに反発し合うことで、前記開閉部材（６２）が前記開放位置にされる
ことを特徴とする。
【０００６】
【発明の実施の形態】
次に、本発明の実施例を図面を参照して説明することにより、発明の実施の形態を具体的に説明する。
【０００７】
【実施例】
図１に示すように、この実施例の可変入賞装置５０は、開口５２を有する長方形の基板５４を備えている。基板５４の背面側には開口５２を横断する誘導板５６が突出しており、誘導板５６よりも上側の開口５２は受入口５８となっている。
【０００８】
また、開口５２の下辺に沿って揺動軸６０が横設されており、開口５２の内周形状に対応する開閉板６２の下端部を、揺動軸６０が揺動可能に軸支している。開閉板６２には、受入口５８側に突出する三角部材６４が設けられており、開閉板６２の揺動に伴って三角部材６４が受入口５８に入出する構造である。さらに、開閉板６２には、永久磁石６８が埋設されている。
【０００９】
一方、誘導板５６の下方には、誘導板５６によって保持される電磁石７０が配設されている。この電磁石７０に通電した際に鉄心７２の永久磁石６８側の端に生じる磁極は、永久磁石６８の鉄心７２側の端の磁極と同極になる。
この可変入賞装置５０では、電磁石７０に通電していないときには、電磁石７０の鉄心７２と永久磁石６８とが互いに引き合うので、開閉板６２は揺動軸６０の上方でほぼ直立した閉鎖位置とされる。このときは、開閉板６２によって受入口５８が封鎖されるので、可変入賞装置５０は遊技球を受け入れることができない。
【００１０】
一方、電磁石７０に通電して励磁させると、電磁石７０と永久磁石６８の対面する極同士が同極となるので、電磁石７０と永久磁石６８とが互いに反発し合い、開閉板６２は揺動軸６０を中心として倒れるように揺動変位させられて開放位置となる。このときは、開閉板６２が受入口５８から離れるので、受入口５８に遊技球を受け入れることができる。しかも、三角部材６４が、上方から落下してくる遊技球の落下を遮って受入口５８へと送り込む働きをするので、可変入賞装置５０はきわめて入賞しやすい状態となる。そして、電磁石７０への通電を停止すれば、鉄心７２と永久磁石６８との引き合いによって、開閉板６２は閉鎖位置とされる。
【００１１】
以上のように、この可変入賞装置５０では、受入口５８の寸法は開閉板６２の外形寸法よりも小さい。この可変入賞装置５０では、電磁石７０のオン、オフに応じて開閉板６２を開放位置と閉鎖位置とに変動させることができる。
【００１２】
また、電磁石７０を消磁させた際に永久磁石６８と電磁石７０の鉄心７２との間に作用する引力は、開閉板６２を閉鎖位置に保持するためのロック手段としても働くから、例えば遊技球の衝突などによって開閉板６２が開放位置に変位するおそれもない。
【００１３】
しかも、永久磁石６８を開閉板６２の軸上部分に配置するので、開閉板６２には揺動軸６０よりも下側で揺動する軸下部分を設ける必要はなく、磁石を軸下部分に配置する構造とした場合と比べても小型化できる。
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例の可変入賞装置の構造の説明図であり、図１（ａ）は開放状態の斜視図、図１（ｂ）は開放状態の側面図である。
【符号の説明】
５０…可変入賞装置    ５２…開口    ５４…基板    ５６…誘導板
５８…受入口    ６０…揺動軸    ６２…開閉板    ６４…三角部材
６８…永久磁石    ７０…電磁石    ７２…鉄心
【図１】
0004030037.tif 000002